(57)【特許請求の範囲】
【請求項１】
筐体と、
上記筐体の内部に収容され、上記筐体の厚み方向に沿って並べられたハードディスク駆動装置、プリント配線板およびバッテリと、を具備し、
上記ハードディスク駆動装置は、上記プリント配線板と上記バッテリとの間に介在され、上記プリント配線板は、上記筐体内で上記ハードディスク駆動装置を外れた領域に張り出すとともに上記筐体の端部に位置する一端部を有し、このプリント配線板の一端部に無線通信用のアンテナ素子が実装されているとともに、上記アンテナ素子は、上記筐体の端部において上記筐体の厚み方向に沿う中間部に位置することを特徴とする携帯形外部記憶装置。
【請求項２】
請求項１の記載において、上記筐体は、四つの角部を有する四角い箱形であり、上記アンテナ素子は、上記筐体の一つの角部に位置することを特徴とする携帯形外部記憶装置。
【請求項３】
請求項２の記載において、上記筐体は、その厚み方向に向かい合う第１の面および第２の面と、これら第１の面の外周縁部と第２の面の外周縁部との間に跨る四つの周面とを有し、上記プリント配線板は、上記筐体の第１の面に沿って配置されるとともに、上記筐体の厚み寸法は、上記筐体の幅寸法および奥行き寸法よりも小さいことを特徴とする携帯形外部記憶装置。
【請求項４】
請求項３の記載において、上記プリント配線板は、上記アンテナ素子を含む無線通信回路が実装されたエリアと、デジタル回路が実装されたエリアとを有し、これら二つのエリアは、上記プリント配線板上で分離されているとともに、上記無線通信回路および上記デジタル回路は、互いに異なる電源系で動作することを特徴とする携帯形外部記憶装置。
【請求項５】
請求項１の記載において、上記アンテナ素子は、少なくとも一つの情報処理装置との間で無線通信を実行するとともに、上記ハードディスク駆動装置は、上記情報処理装置で処理されるデータを格納することを特徴とする携帯形外部記憶装置。
【請求項６】
筐体と、
上記筐体の内部に収容され、金属製のハウジングを有するハードディスク駆動装置と、
上記筐体の内部に収容され、上記ハードディスク駆動装置のハウジングを外れた領域に張り出す一端部を有する第１のプリント配線板と、
上記第１のプリント配線板の一端部に実装された無線通信用のアンテナ素子と、
上記ハードディスク駆動装置と上記第１のプリント配線板との間を電気的に接続し、上記第１のプリント配線板の一端部と向かい合うとともに、上記アンテナ素子に対応する部分に切り欠きを有する第２のプリント配線板と、を具備したことを特徴とする携帯形外部記憶装置。
【請求項７】
請求項６の記載において、上記アンテナ素子は、上記筐体の端部においてこの筐体の厚み方向に沿う中間部に位置することを特徴とする携帯形外部記憶装置。
【請求項８】
請求項６又は請求項７のいずれかの記載において、上記筐体は、四つの角部を有する四角い箱形であり、上記アンテナ素子は、上記筐体の一つの角部に位置することを特徴とする携帯形外部記憶装置。
【請求項９】
請求項８の記載において、上記筐体は、その厚み方向に向かい合う第１の面および第２の面と、これら第１の面の外周縁部と第２の面の外周縁部との間に跨る四つの周面とを有し、上記筐体の厚み寸法は、上記筐体の幅寸法および奥行き寸法よりも小さいことを特徴とする携帯形外部記憶装置。
【請求項１０】
請求項９の記載において、上記第１のプリント配線板は、上記筐体の第１の面に沿って配置されているとともに、上記アンテナ素子は、上記筐体の一つの周面と隣り合うことを特徴とする携帯形外部記憶装置。
【請求項１１】
請求項３又は請求項９のいずれかの記載において、上記筐体の周面は、上記筐体の厚み方向に沿う基準線に対し上記筐体の外方に向けて張り出すように湾曲する曲面であることを特徴とする携帯形外部記憶装置。
【請求項１２】
請求項３又は請求項９のいずれかの記載において、上記筐体の周面は、上記筐体の厚み方向に沿う基準線に対し傾斜する傾斜面であることを特徴とする携帯形外部記憶装置。
【発明の詳細な説明】
【０００１】
【発明の属する技術分野】
本発明は、無線通信用のアンテナ素子を内蔵した携帯形外部記憶装置に係り、特にそのアンテナ素子のレイアウトに関する。
【０００２】
【従来の技術】
近年、無線通信機能を備えた携帯形の外部記憶装置のような電子機器が種々提供されている。この種の電子機器は、例えばバッグの中あるいはスーツのポケット等に収納し、ホスト機器としてのパーソナルコンピュータとの間でbluetooth（商標）の近距離無線通信方式を利用してデータの授受を行うようになっている。このため、従来の電子機器では、携帯性や使い勝手が最も重要視される傾向にあり、それ故、電子機器の外郭となる筐体が薄くコンパクトに形成されている。
【０００３】
このような電子機器において、無線通信の安定性を図るためには、アンテナ素子からの放射電界を妨げる要因を極力排除し、放射電界の効率を高める必要がある。具体的には、アンテナ素子を筐体の外部に取り付けたり、あるいはアンテナ素子を筐体から大きく突出させることが望ましいものとなる。これにより、アンテナ素子の周辺から放射電界を妨げるような障害物が除去され、このアンテナ素子が筐体の外部に対して見通しの良い状態に保持される。
【０００４】
【発明が解決しようとする課題】
ところが、アンテナ素子を筐体の外部に取り付けた場合、このアンテナ素子が筐体から離れてしまう。このため、電子機器とアンテナ素子とを個別に持ち運ばなくてはならず、使い勝手が悪くなる。
【０００５】
さらに、アンテナ素子を筐体の外部に突出させると、このアンテナ素子が筐体の外に飛び出す突起物となるのを避けられない。したがって、電子機器が大形化するとともに、これに比例して電子機器の重量が増大し、電子機器の携帯性を高める上での妨げとなるといった不具合が生じてくる。
【０００６】
本発明は、このような事情にもとづいてなされたもので、携帯性を高めるとともに、無線通信時の筐体の姿勢に左右されることなく安定した無線通信が可能となる携帯形外部記憶装置の提供を目的とする。
【０００７】
【課題を解決するための手段】
上記目的を達成するため、本発明の一つの形態に係る携帯形外部記憶装置は、
筐体と、上記筐体の内部に収容され、上記筐体の厚み方向に沿って並べられたハードディスク駆動装置、プリント配線板およびバッテリと、を備えている。
上記ハードディスク駆動装置は、上記プリント配線板と上記バッテリとの間に介在され、上記プリント配線板は、上記筐体内で上記ハードディスク駆動装置を外れた領域に張り出すとともに上記筐体の端部に位置する一端部を有し、このプリント配線板の一端部に無線通信用のアンテナ素子が実装されているとともに、上記アンテナ素子は、上記筐体の端部において上記筐体の厚み方向に沿う中間部に位置することを特徴としている。
【０００８】
このような構成によれば、例えば机の天板の上に携帯形外部記憶装置の筐体を設置するに当たり、アンテナ素子を電界放射の妨げとなる天板から遠ざけることができる。しかも、筐体の内部においてアンテナ素子の周囲が広く開放され、アンテナ素子からの放射電界がバッテリやハードディスク駆動装置によって遮られずに済む。よって、携帯形外部記憶装置の姿勢に左右されることなく安定した無線通信が可能となる。
【０００９】
【発明の実施の形態】
以下本発明の第１の実施の形態を、携帯形外部記憶装置に適用した図１ないし図１１にもとづいて説明する。
【００１０】
図１は、携帯形外部記憶装置１の使用環境の一例を開示している。図１に示すように、携帯形外部記憶装置１の通信相手は、パーソナルコンピュータ２、ポータブルゲームマシン３、デジタルビデオカメラ４およびPDA(Personal Digital Assistant)５のような情報処理装置である。本実施の形態の場合、携帯形外部記憶装置１および通信相手としての情報処理装置２〜５は、夫々近距離無線通信方式の一種であるBluetooth（商標）の無線通信モジュールを搭載しており、この無線通信モジュールを介してデータの送受信が行われるようになっている。
【００１１】
例えばデジタルビデオカメラ４とパーソナルコンピュータ２との間で画像データを授受する場合は、まず、デジタルビデオカメラ４と携帯形外部記憶装置１との間で無線通信により画像データを授受し、この画像データを携帯形外部記憶装置１に保存する。この際、デジタルビデオカメラ４と携帯形外部記憶装置１とは、Bluetooth（商標）の無線通信モジュールによる無線通信が可能な距離（最大１００m程度）の範囲内に位置させる必要がある。
【００１２】
次に、携帯形外部記憶装置１をパーソナルコンピュータ２に対し上記無線通信モジュールによる無線通信が可能な距離内に近づける。これにより、無線通信モジュールのリンクが自動的に確立し、携帯形外部記憶装置１に保存された画像データがパーソナルコンピュータ２に転送される。
【００１３】
図２ないし図４に示すように、上記携帯形外部記憶装置１は、合成樹脂製の筐体１０を備えている。筐体１０は、上壁１０ａ、下壁１０ｂ、左右の側壁１０ｃ、前壁１０ｄおよび後壁１０ｅを有するとともに、その四隅に略直角な第１ないし第４の角部１１ａ〜１１ｄを有している。第１の角部１１ａは、筐体１０の左側の側壁１０ｃと前壁１０ｄとで規定され、第２の角部１１ｂは、筐体１０の右側の側壁１０ｃと前壁１０ｄとで規定されている。さらに、第３の角部１１ｃは、筐体１０の右側の側壁１０ｃと後壁１１ｅとで規定され、第４の角部１１ｄは、筐体１０の左側の側壁１０ｃと後壁１１ｅとで規定されている。
【００１４】
筐体１０は、例えばスーツのポケットやバッグに収納して持ち運べるように、その幅寸法Wが７３mm、奥行き寸法Dが１１０mmおよび厚み寸法Tが２３mmに設定されている。したがって、筐体１０は、その厚み寸法Tが幅寸法Wおよび奥行き寸法Dよりも遥かに小さな偏平な四角い箱形をなしている。
【００１５】
上壁１０ａおよび下壁１０ｂは、筐体１０の厚み方向に向かい合うように互いに平行に配置されている。これら上壁１０ａおよび下壁１０ｂは、夫々筐体１０の幅方向および奥行き方向に広がるような矩形状をなしている。上壁１０ａは、第１の面としての平坦な上面１２を有している。下壁１０ｂは、第２の面としての平坦な下面１３を有している。これら上面１２および下面１３は、筐体１０の外方に露出されている。
【００１６】
左右の側壁１０ｃは、筐体１０の奥行き方向に沿って延びている。前壁１０ｄおよび後壁１０ｅは、筐体１０の幅方向に沿って延びている。これら各壁１０ｃ，１０ｄ，１０ｅは、上面１２の外周縁部と下面１３の外周縁部との間に跨る左右の側面１４、前面１５および後面１６を有し、これら側面１４、前面１５および後面１６は、筐体１０の四つの周面を構成している。
【００１７】
図４に示すように、筐体１０は、記憶媒体としてのハードディスク駆動装置１８、第１のプリント配線板１９および電源としてのバッテリ２０を収容している。これらハードディスク駆動装置１８、第１のプリント配線板１９およびバッテリ２０は、筐体１０の厚み方向に積層した状態で配置されている。
【００１８】
ハードディスク駆動装置１８は、第１のプリント配線板１９とバッテリ２０との間に介在されている。このハードディスク駆動装置１８は、金属製の偏平なハウジング２１を有し、このハウジング２１内に磁気ヘッドを有するキャリッジおよびディスクのような複数の構成要素が格納されている。
【００１９】
第１のプリント配線板１９は、筐体１０の上壁１０ａと平行に配置されており、これら第１のプリント配線板１９と上壁１０ａとの間には、隙間が形成されている。第１のプリント配線板１９の一端部１９ａは、上記ハードディスク駆動装置１８よりも筐体１０の前壁１０ｄに向けて張り出している。
【００２０】
第１のプリント配線板１９は、上記Bluetooth（商標）の無線通信モジュールを搭載している。この無線通信モジュールは、無線通信用のアンテナ素子２２を有している。アンテナ素子２２としては、例えば積層形のチップアンテナが用いられている。このアンテナ素子２２は、偏平な板状であり、第１のプリント配線板１９の一端部１９ａのうち上壁１０ａとは反対側の面に実装されている。このため、アンテナ素子２２は、筐体１０の内部において、上記ハードディスク駆動装置１８を外れた領域に収容されており、このアンテナ素子２２の周囲から放射電界を遮るような障害物が排除されている。
【００２１】
図４に最も良く示されるように、アンテナ素子２２は、前壁１０ｄに隣接した筐体１０の前端部に位置されているとともに、この筐体１０の厚み方向に沿う中間部に位置されている。これにより、アンテナ素子２２と上壁１０ａとの間、およびアンテナ素子２２と下壁１０ｂとの間に、夫々筐体１０の厚み方向に沿う隙間S1,S2が形成されている。
【００２２】
さらに、本実施の形態の場合、アンテナ素子２２は、筐体１０の第１の角部１１ａに位置されている。よって、アンテナ素子２２は、筐体１０の前端部において、この筐体１０の左側の側壁１０ｃの方向に大きく偏っている。
【００２３】
図５に示すように、第１のプリント配線板１９は、第１のエリア２４と第２のエリア２５とを有している。これら第１および第２のエリア２４，２５は、上記プリント配線板１９上で互いに分離されている。
【００２４】
第１のエリア２４は、上記第１のプリント配線板１９の一端部１９ａを含み、この第１の領域２４に上記アンテナ素子２２および通信制御用IC２６を有する無線通信回路２７が実装されている。第２のエリア２５は、第１のエリア２４よりも広く形成され、この第２のエリア２５にデジタルIC２８を有するデジタル回路２９が実装されている。
【００２５】
デジタルIC２８とアンテナ素子２２とは、第１のプリント配線板１９の対角線上に位置されており、この第１のプリント配線板１９上において可能な限り距離を隔てて実装されている。さらに、無線通信回路２７とデジタル回路２９とでは、その電源およびグランドが互いに独立している。そのため、第１のプリント配線板１９上の二つの回路２７，２９は、異なる電源系で動作されるようになっている。
【００２６】
このような第１のプリント配線板１９によると、デジタルIC２８とアンテナ素子２２とが互いに遠ざかるので、デジタル回路２９の動作に起因するノイズ（スイッチングノイズ）とアンテナ素子２２から放射される電波との干渉を防止することができる。それとともに、無線通信回路２７とデジタル回路２９とでは、その電源およびグランドが個々に独立しているので、デジタル回路２９の動作によるスイッチングノイズが無線通信回路２７に流れ込むのを防止できる。この結果、無線通信の安定性が向上する。
【００２７】
図３および図４に示すように、上記ハードディスク駆動装置１８は、中継基板としての第２のプリント配線板３１を介して第１のプリント配線板１９に電気的に接続されている。第２のプリント配線板３１は、第１のプリント配線板１９の一端部１９ａと平行に配置されている。そのため、第１のプリント配線板１９の一端部１９ａと第２のプリント配線板３１とは、筐体１０の厚み方向に互いに向かい合っている。
【００２８】
第２のプリント配線板３１は、第１のプリント配線板１９の一端部１９ａと筐体１０の下壁１０ｂとの間に介在されている。この第２のプリント配線板３１は、アンテナ素子２２に対応する位置に切り欠き３２を有している。この切り欠き３２の存在により、アンテナ素子２２の周囲から放射電界を遮るような障害物が排除されており、このアンテナ素子２２が切り欠き３２を通じて筐体１０の下壁１０ｂと向かい合っている。
【００２９】
また、本実施形態の場合、例えばバッテリ２０の残量やハードディスク駆動装置１８が作動中であるか否かのような携帯形外部記憶装置１の動作状況は、筐体１０の上面１２に設置された液晶表示パネル３３を通じて表示されるようになっている。
【００３０】
次に、携帯形外部記憶装置１の使用形態について説明する。
【００３１】
図６ないし図１１は、携帯形外部記憶装置１を例えば机の天板３４の上に置いて使用する際の種々の形態を開示している。図６の例では、携帯形外部記憶装置１が筐体１０の下面１３を下向きとした横置きの姿勢で机の天板３４の上に置かれている。筐体１０に内蔵されたアンテナ素子２２は、筐体１０の厚み方向の中間部に位置するので、この筐体１０の下壁１０ｂとアンテナ素子２２との間に隙間S2が存在する。そのため、アンテナ素子２２は、上記隙間S2に相当する分だけ天板３４の上方に遠ざかる。
【００３２】
図７の例では、携帯形外部記憶装置１が筐体１０の上面１２を下向きとした横置きの姿勢で机の天板３４の上に置かれている。この場合においても、筐体１０に内蔵されたアンテナ素子２２は、筐体１０の厚み方向に沿う中間部に位置するので、筐体１０の上壁１０ａとアンテナ素子２２との間に隙間S1が存在する。そのため、アンテナ素子２２は、隙間S1に相当する分だけ天板３４の上方に遠ざかる。それとともに、アンテナ素子２２は、天板３４に対し第１のプリント配線板１９の一端部１９ａを間に挟んだ反対側に位置され、第２のプリント配線板３１の切り欠き３２を通じて天板３４の上方を指向している。
【００３３】
以上のことから、筐体１０を横置きの姿勢で使用するに当って、机の天板３４に対し筐体１０を厚み方向に沿ういずれの向きに置いた場合でも、アンテナ素子２２と天板３４との間に隙間S1又はS2が確保される。このため、電界放射の妨げとなる天板３４からアンテナ素子２２を遠ざけることができ、アンテナ素子２２が筐体１０の外部に対して見通しの良い状態に保持される。よって、アンテナ素子２２からの電界放射が効率良く行われることになり、安定した無線通信が可能となる。
【００３４】
図８の例では、携帯形外部記憶装置１が筐体１０の前面１５を下向きとした縦置きの姿勢で机の天板３４の上に置かれている。この形態によると、筐体１０の第１の角部１１ａが天板３４の上に位置するので、アンテナ素子２２の長手方向に沿う一つの縁部が天板３４と向かい合った状態となる。しかるに、上記アンテナ素子２２の長手方向に沿う一端部は、天板３４から上向きに延びる筐体１０の左側の側壁１０ｃに隣接しているので、このアンテナ素子２２の一端部は、天板３４を外れた向きに保たれる。
【００３５】
図９の例では、携帯形外部記憶装置１が筐体１０の後面１６を下向きとした縦置きの姿勢で机の天板３４の上に置かれている。この場合、筐体１０に内蔵されたアンテナ素子２２は、天板３４とは反対側に位置されており、筐体１０の奥行き寸法Dに対応する距離だけ天板３４の上方に遠ざかっている。
【００３６】
図１０の例では、携帯形外部記憶装置１が筐体１０の右側の側面１４を下向きとした縦置きの姿勢で机の天板３４の上に置かれている。この形態によると、アンテナ素子２２が位置する筐体１０の第１の角部１１ａは、天板３４とは反対側に位置されている。そのため、アンテナ素子２２は、筐体１０の幅寸法Wに対応する距離だけ天板３４の上方に遠ざかる。
【００３７】
また、図１１に示す例では、携帯形外部記憶装置１が筐体１０の左側の側面１４を下向きとした縦置きの姿勢で天板３４の上に置かれている。この場合、アンテナ素子２２が位置する筐体１０の第１の角部１１ａは、天板３４の上に位置するので、アンテナ素子２２の長手方向に沿う一端部が天板３４と向かい合った状態となる。しかるに、上記アンテナ素子２２の長手方向に沿う一つの縁部は、天板３４から上向きに延びる筐体１０の前壁１０ｄに隣接しているので、このアンテナ素子２２の一つの縁部は、天板３４を外れた向きに保たれる。
【００３８】
以上のことから、筐体１０を縦置きの姿勢で使用するに当って、机の天板３４に対し筐体１０を幅方向および奥行き方向に沿ういずれの向きに置いた場合でも、アンテナ素子２２の少なくとも一部は、筐体１０の前壁１０ｄ又は側壁１０ｃに隣接した位置において、天板３４を外れた向きに保たれる。
【００３９】
このため、アンテナ素子２２を筐体１０の第１の角部１１ａに配置することで、天板３４がアンテナ素子２２からの放射電界を遮る要因となり難くなり、アンテナ素子２２が筐体１０の外部に対して見通しの良い状態に保持される。よって、アンテナ素子２２からの電界放射が効率良く行われることになり、安定した無線通信が可能となる。
【００４０】
このような構成の携帯形外部記憶装置１によると、筐体１０は、無線通信用のアンテナ素子２２を内蔵しているので、この筐体１０の外に飛び出す突起物を極力排除することができる。そのため、筐体１０の構造を簡略して小形軽量化を図ることができ、携帯形外部記憶装置１の携帯性を高めることができる。
【００４１】
しかも、アンテナ素子２２を筐体１０に内蔵した構成でありながら、携帯形外部記憶装置１を横置き又は縦置きのいずれの姿勢で使用する場合でも、机の天板３４がアンテナ素子２２からの放射電界を遮るような障害物となるのを防ぐことができる。このため、携帯形外部記憶装置１の姿勢に左右されることなく安定した無線通信が可能となる。
【００４２】
さらに、上記構成によると、第２のプリント配線板３１は、アンテナ素子２２と向かい合う部分に、このアンテナ素子２２を避けるような切り欠き３２を有している。それとともに、アンテナ素子２２は、筐体１０の内部において金属製のハウジング２１を有するハードディスク駆動装置１８を避けた領域に配置されている。
【００４３】
このため、筐体１０の内部においてアンテナ素子２２の周囲が広く開放され、アンテナ素子２２からの放射電界が第２のプリント配線板３１やハードディスク駆動装置１８によって遮られずに済む。よって、アンテナ素子２２から筐体１０の外部に向けて効率良く電界を放射することができ、この点でも無線通信の安定性向上に寄与するといった利点がある。
【００４４】
なお、本発明は上記第１の実施の形態に特定されるものではなく、図１２および図１３に本発明の第２の実施の形態を示す。この第２の実施の形態は、筐体１０の形状が上記第１の実施の形態と相違しており、それ以外の携帯形外部記憶装置１の基本的な構成は、第１の実施の形態と同様である。そのため、第２の実施の形態において、第１の実施の形態と同一の構成部分には同一の参照符号を付して、その説明を省略する。
【００４５】
図１２および図１３に示すように、筐体１０の左右の側面１４、前面１５および後面１６は、夫々筐体１０の厚み方向に沿う基準線X1に対し、筐体１０の外方に張り出すように円弧状に湾曲された曲面４１となっている。この曲面４１は、筐体１０の外周部に位置されている。
【００４６】
このような構成によると、筐体１０の側面１４、前面１５および後面１６が円弧状に湾曲されているので、これらいずれかの面１４〜１６を下向きとする縦置きの姿勢に筐体１０を立てることができなくなる。そのため、携帯形外部記憶装置１は、筐体１０の幅方向および奥行き方向に広がる上面１２又は下面１３を下向きとした横置きの姿勢でしか机の天板３４の上に置くことができなくなる。
【００４７】
言い換えると、筐体１０は、その厚み寸法Tが幅寸法Wや奥行き寸法Dよりも小さい偏平な箱形であるので、筐体１０の側面１４、前面１５および後面１６は、幅狭い帯状となる。したがって、これら各面１４〜１６を机の天板３４の上に置いた時に、その天板３４との接触面積が少なくなり、筐体１０を縦置きとした時に筐体１０が不安定となる。このため、例えば筐体１０に僅かな振動が加わっただけで筐体１０が転倒することがあり、この筐体１０に収容されたハードディスク駆動装置１８に大きな衝撃が加わることがある。
【００４８】
しかるに、上記構成では、筐体１０は横置きの姿勢でしか天板３４の上に置くことができないので、この天板３４の上での筐体１０の姿勢が安定し、筐体１０の不所望な転倒を防止できる。よって、ハードディスク駆動装置１８に大きな衝撃が加わることはなく、この衝撃に基づくハードディスク駆動装置１８の破損や故障を防止することができる。
【００４９】
さらに、筐体１０を天板３４の上に横置きの姿勢でしか置くことができないので、特に図８や図１１に示すように、アンテナ素子２２が天板３４と向かい合うような使用形態を採ることができなくなる。このため、天板３４がアンテナ素子２２の放射電界を遮る要因となるのを防止でき、安定した無線通信が可能となる。
【００５０】
さらに、図１４は本発明の第３の実施の形態を開示している。
【００５１】
この第３の実施の形態は、筐体１０の形状が上記第２の実施の形態と相違しており、それ以外の携帯形外部記憶装置１の基本的な構成は、第２の実施の形態と同様である。
【００５２】
図１４に示すように、筐体１０の側面１４、前面１５および後面１６は、筐体１０の厚み方向に沿う基準線X1に対し傾斜された傾斜面５１となっている。このように筐体１０の各面１４〜１６を傾斜させることで、筐体１０は、その幅方向および奥行き方向に広がる上面１２又は下面１３を下向きとした横置きの姿勢でしか机の天板３４の上に置くことができなくなる。
【００５３】
よって、上記第２の実施の形態と同様に、天板３４の上での筐体１０の姿勢が安定し、筐体１０の不所望な転倒およびこの転倒に起因するハードディスク駆動装置１８の破損や故障を防止することができる。それとともに、特に図８や図１１に示すように、アンテナ素子２２が天板３４と向かい合うような使用形態を採ることができなくなる。このため、天板３４がアンテナ素子２２の放射電界を遮る要因となるのを防止でき、安定した無線通信が可能となるといった利点がある。
【００５５】
【発明の効果】
以上詳述した本発明によれば、アンテナ素子からの電界放射を効率良く行うことができ、安定した無線通信が可能となるといった利点がある。
【図面の簡単な説明】
【図１】本発明の第１の実施の形態に係る携帯形外部記憶装置の使用環境を概略的に説明する図。
【図２】携帯形外部記憶装置の斜視図。
【図３】第１のプリント配線板に実装されたアンテナ素子と第２のプリント配線板に形成された切り欠きとの位置関係を示す携帯形外部記憶装置の斜視図。
【図４】（Ａ）は、第１のプリント配線板に実装されたアンテナ素子と第２のプリント配線板に形成された切り欠きとの位置関係を示す携帯形外部記憶装置の断面図。
（Ｂ）は、図４（Ａ）のＡ−Ａ線に沿う断面図。
（Ｃ）は、図４（Ａ）のＢ−Ｂ線に沿う断面図。
【図５】無線通信回路が実装されたエリアと、デジタル回路が実装されたエリアとを示す第１のプリント配線板の平面図。
【図６】筐体の下面を下向きにした横置きの姿勢でこの筐体を机の天板の上に置いた状態を示す携帯形外部記憶装置の断面図。
【図７】筐体の上面を下向きにした横置きの姿勢でこの筐体を机の天板の上に置いた状態を示す携帯形外部記憶装置の断面図。
【図８】（Ａ）は、筐体の前面を下向きにした縦置きの姿勢でこの筐体を机の天板の上に置いた状態を概略的に示す携帯形外部記憶装置の斜視図。
（Ｂ）は、筐体の前面を下向きにした縦置きの姿勢でこの筐体を机の天板の上に置いた状態を示す携帯形外部記憶装置の断面図。
【図９】（Ａ）は、筐体の後面を下向きにした縦置きの姿勢でこの筐体を机の天板の上に置いた状態を概略的に示す携帯形外部記憶装置の斜視図。
（Ｂ）は、筐体の後面を下向きにした縦置きの姿勢でこの筐体を机の天板の上に置いた状態を示す携帯形外部記憶装置の断面図。
【図１０】（Ａ）は、筐体の右側の側面を下向きにした縦置きの姿勢でこの筐体を机の天板の上に置いた状態を概略的に示す携帯形外部記憶装置の斜視図。
（Ｂ）は、筐体の右側の側面を下向きにした縦置きの姿勢でこの筐体を机の天板の上に置いた状態を示す携帯形外部記憶装置の断面図。
【図１１】（Ａ）は、筐体の左側の側面を下向きにした縦置きの姿勢でこの筐体を机の天板の上に置いた状態を概略的に示す携帯形外部記憶装置の斜視図。
（Ｂ）は、筐体の左側の側面を下向きにした縦置きの姿勢でこの筐体を机の天板の上に置いた状態を概略的に示す携帯形外部記憶装置の断面図。
【図１２】本発明の第２の実施の形態に係る携帯形外部記憶装置の斜視図。
【図１３】（Ａ）は、本発明の第２の実施の形態に係る携帯形外部記憶装置の側面図。
（Ｂ）は、本発明の第２の実施の形態に係る携帯形外部記憶装置の正面図。
【図１４】（Ａ）は、本発明の第３の実施の形態に係る携帯形外部記憶装置の側面図。
（Ｂ）は、本発明の第３の実施の形態に係る携帯形外部記憶装置の正面図。
【符号の説明】
１０…筐体、１４，１５，１６…周面（側面、前面、後面）、１８…ハードディスク駆動装置、１９…第１のプリント配線板、１９ａ…一端部、２０…バッテリ、２１…ハウジング、２２…アンテナ素子、３１…第２のプリント配線板、３２…切り欠き。
【図１】
0003762317.tif 000002
【図２】
0003762317.tif 000003
【図３】
0003762317.tif 000004
【図４】
0003762317.tif 000005
【図５】
0003762317.tif 000006
【図６】
0003762317.tif 000007
【図７】
0003762317.tif 000008
【図８】
0003762317.tif 000009
【図９】
0003762317.tif 000010
【図１０】
0003762317.tif 000011
【図１１】
0003762317.tif 000012
【図１２】
0003762317.tif 000013
【図１３】
0003762317.tif 000014
【図１４】
0003762317.tif 000015